(57)【要約】【課題】毛髪の分析をするための毛髪処理を簡易に行うことができる毛髪処理具を実現する。【解決手段】毛髪処理具（１Ａ）は、上下方向に伸びる複数の流路（１０）と、流路（１０）を第１領域（１０Ａ）と第２領域（１０Ｂ）とに分ける遮蔽部（２０）と、を備える。第１領域（１０Ａ）には、開口部（１０ｃ）が形成されている。遮蔽部（２０）は、流路（１０）から取り外し可能である。【選択図】図２
2019219328.tif 000002
【特許請求の範囲】
【請求項１】
毛髪に対する処理を行う毛髪処理具であって、
複数の流路と、
前記流路を第１領域と第２領域とに分ける遮蔽部と、を備え、
前記第１領域には、切断された前記毛髪を当該第１領域に入れ、かつ、液体を注液するための開口部が形成されており、
前記遮蔽部は、
前記第１領域から前記第２領域への液体の移動速度を低下させる、または、
前記流路から取り外し可能となっていることを特徴とする毛髪処理具。
【請求項２】
前記流路は、隔壁によって囲まれることによって形成されており、
前記隔壁は、前記毛髪を切断するための切断具が押圧される被押圧面を備えることを特徴とする請求項１に記載の毛髪処理具。
【請求項３】
前記複数の流路は、所定の間隔を隔てて配置されていることを特徴とする請求項１または２に記載の毛髪処理具。
【請求項４】
前記複数の流路によって、ハニカム構造が形成されていることを特徴とする請求項１〜３のいずれか１項に記載の毛髪処理具。
【請求項５】
前記第２領域には、前記毛髪に含まれる生理活性物質と結合する抗体が格納されていることを特徴とする請求項１〜４のいずれか１項に記載の毛髪処理具。
【請求項６】
前記流路は、多孔質樹脂によって形成されていることを特徴とする請求項１〜５のいずれか１項に記載の毛髪処理具。
【請求項７】
前記流路は、前記毛髪を粉砕するための粉砕部材を内部に備えることを特徴とする請求項１〜６のいずれか１項に記載の毛髪処理具。
【発明の詳細な説明】
【技術分野】
【０００１】
本開示は、毛髪を分析するための毛髪処理を行う毛髪処理具に関する。
【背景技術】
【０００２】
被検体から採取した毛髪中に含まれる物質を測定し、前記被験体の生理状態を判断する技術が存在する。例えば、非特許文献１は、新生児の毛髪をサンプルとして、ＥＬＩＳＡ（enzyme-linked immunosorbent assay）法によりコルチゾールのレベルを決定したことを報告している。
【先行技術文献】
【非特許文献】
【０００３】
【非特許文献１】Yamada J et al (2007) "Hair Cortisol as a Potential Biologic Marker of Chronic Stress in Hospitalized Neonates", Neonatology, Vol.92 (No.1), pp.42-49
【発明の概要】
【発明が解決しようとする課題】
【０００４】
しかしながら、上述のような従来技術は、生体の毛髪の分析をするための毛髪処理を手作業で行っている。また、上述の従来技術に開示された毛髪処理は、複数の毛髪を同時に処理できない。それ故、毛髪処理をより簡易に行うための手段が求められていた。
【０００５】
本開示の一態様は、生体の毛髪の分析をするための毛髪処理を簡易に行うことができる毛髪処理具を実現することを目的とする。
【課題を解決するための手段】
【０００６】
上記の課題を解決するために、本開示の一態様に係る毛髪処理具は、毛髪に対する処理を行う毛髪処理具であって、複数の流路と、前記流路を第１領域と第２領域とに分ける遮蔽部と、を備え、前記第１領域には、切断された前記毛髪を当該第１領域に入れ、かつ、液体を注液するための開口部が形成されており、前記遮蔽部は、前記第１領域から前記第２領域への液体の移動速度を低下させる、または、前記流路から取り外し可能となっている。
【発明の効果】
【０００７】
本開示の一態様によれば、生体の毛髪の分析をするための毛髪処理を簡易に行うことができる。
【図面の簡単な説明】
【０００８】
【図１】実施形態１における毛髪処理具１Ａの斜視図である。
【図２】（ａ）は、毛髪処理具１Ａの上面図であり、（ｂ）は、（ａ）に示すＡ−Ａ線矢視断面図である。
【図３】（ａ）は、毛髪処理具１Ａの上面図であり、（ｂ）は、（ａ）に示すＢ−Ｂ線矢視断面図である。
【図４】毛髪処理具１Ａにおける断面図である。
【図５】（ａ）および（ｂ）は、実施形態１における毛髪処理具１Ａの断面図である。
【図６】実施形態１における毛髪処理具１Ａの断面図である。
【図７】上記毛髪処理具の変形例としての毛髪処理具の斜視図である。
【図８】（ａ）は、実施形態２における毛髪処理具１Ｂの上面図である。（ｂ）は、（ａ）に示すＢ−Ｂ線矢視断面図である。（ｃ）は、（ｂ）に示す点線部分の拡大図である。
【図９】（ａ）および（ｂ）は、毛髪処理具１Ｃの上面図であり、（ｃ）は（ａ）に示す点線部分の拡大図である。
【図１０】（ａ）および（ｂ）は、実施形態２における毛髪処理具１Ｄの断面図である。
【図１１】（ａ）は、実施形態３における毛髪処理具１Ｅの斜視図である。（ｂ）は、実施形態３における毛髪処理具１Ｅの斜視図である。
【図１２】（ａ）および（ｂ）は、実施形態３における毛髪処理具１Ｅの断面図である。
【図１３】（ａ）および（ｂ）は、実施形態４における近似計測法を説明するための概略図である。
【発明を実施するための形態】
【０００９】
〔実施形態１〕
以下、本開示の一実施形態について、詳細に説明する。
【００１０】
＜毛髪処理具の構造＞
図１は、本実施形態における毛髪処理具１Ａの斜視図である。図２の（ａ）は、毛髪処理具１Ａの上面図であり、（ｂ）は、（ａ）に示すＡ−Ａ線矢視断面図である。なお、以降では、説明の便宜上、図１および図２における＋Ｘ方向を右方向、−Ｘ方向を左方向、＋Ｙ方向を前方向、−Ｙ方向を後方向、＋Ｚ方向を上方向、−Ｚ方向を下方向として説明する場合がある。
【００１１】
図１および図２に示すように、毛髪処理具１Ａは、筐体２と、複数の流路１０と、流路１０の流路を遮蔽する遮蔽部２０とを備えている。
【００１２】
流路１０は、図２の（ｂ）に示すように、筐体２の内部において、上面２ａから鉛直下方向へ向かって、一方向に伸長するように形成されている。流路１０は、また、図２の（ａ）に示すように、流路１０は、隔壁１２を隔てることによって、繰り返し構造を形成するように、左右方向に沿って複数並んで形成されている。流路１０の、左右方向の幅は、用いる毛髪Ｈの長さまたは太さに応じて適宜変更されるが、５０〜１００００μｍが目安である。流路１０は、チューブで形成されていてもよい。流路１０がチューブで形成されている場合、それぞれのチューブが必ずしも鉛直下方向へ向かって同一方向に伸長していなくてもよい。
【００１３】
流路１０の内部は、空洞であってもよい。この場合、流路１０の内部が真空であってもよいし、気体（具体的には、空気、窒素、Ａｒなど）が充填されていてもよい。また、流路１０は、不純物が除去されやすいように、多孔質樹脂によって形成されていてもよいし、流路１０の内部の一部に多孔質樹脂が配置されていてもよい。また、流路１０は、多孔質樹脂の代わりに紙（ペーパー）で構成されてもよい。
【００１４】
図２の（ｂ）に示すように、遮蔽部２０は、複数の流路１０の伸長する方向（Ｚ方向）に対して略垂直な方向から、毛髪処理具１Ａに挿入される板状の部材である。複数の流路１０のそれぞれは、遮蔽部２０により、第１領域１０Ａと、第２領域１０Ｂとに区切られている。第１領域１０Ａには、切断された毛髪を当該第１領域１０Ａに入れ、かつ、液体（後述する第１反応液５）を注液するための開口部１０ｃが形成されている。
【００１５】
遮蔽部２０を構成する材料としては、後述する各反応液の成分に適する耐性を有するものが用いられる。該材料の例として、具体的には、フッ素樹脂、アクリル樹脂、塩化ビニル樹脂などが挙げられる。
【００１６】
＜毛髪処理具の使用方法＞
毛髪処理具１Ａによる毛髪処理の説明に先立って、本明細書において用いられる用語について、以下に説明する。
【００１７】
本明細書における「被検体」の範囲には、ヒトに加えて、非ヒト哺乳類も含まれる。非ヒト哺乳動物の例としては、霊長類（サル、類人猿など）、偶蹄類（ウシ、イノシシ、ブタ、ヒツジ、ヤギなど）、奇蹄類（ウマなど）、齧歯類（マウス、ラット、ハムスター、リスなど）、ウサギ目（ウサギなど）、食肉類（イヌ、ネコ、フェレットなど）などが挙げられる。上述の非ヒト哺乳動物は、家畜または愛玩動物であってもよく、野生動物であってもよい。
【００１８】
本明細書において「毛髪」とは、「被検体に生える毛」を意図する。被検体がヒトの場合、毛髪の例として、頭髪、髭、眉毛、睫毛、鼻毛、耳毛、腋毛、陰毛、体毛が挙げられる。このうち、本開示の方法においては、頭髪を用いることが、毛髪の採取が容易であるため好ましい。さらに、上述の毛髪の中でも頭髪は比較的長い。それ故、毛髪の成長時期に応じて異なる複数の一定期間毛髄質に蓄積している生理活性物質を検出しやすい点においても好ましい。
【００１９】
本明細書において、「生理活性物質」とは、生命活動および生理機能の維持、調節などに関わる物質を意図する。生理活性物質の具体例としては、ホルモン、神経伝達物質、サイトカイン、ビタミン、酵素、タンパク質、ペプチドなどが挙げられる。
【００２０】
本明細書において、「毛髪の分析」とは、毛髪における生理活性物質の蓄積量を測定することを意図する。該測定により、上記毛髪を採取された被験体の生命活動および生理機能を判断できる。
【００２１】
前記被験体の生命活動および生理機能を判断する一例として、毛髪におけるストレス関連生理活性物質の蓄積量を測定することにより、上記被験体が慢性的に経験したストレスを知ることができる。このようなストレス関連生理活性物質の例としては、コルチゾール（ヒドロコルチゾン；１１β，１７α，２１−トリヒドロキシプレグナ−４−エン−３，２０−ジオン）、ＤＨＥＡ（デヒドロエピアンドロステロン；３β−ヒドロキシアンドロスタ−５−エン−１７−オン）、ＤＨＥＡ−Ｓ（硫酸結合型DHEA; DHEA-sulfate; DHE-S）、テストステロンなどの副腎皮質ホルモン、カテコールアミン（アドレナリン、ノルアドレナリン）、Neuropeptide Yなどの神経伝達物質、クロモグラニンＡなどの酸性タンパク質が挙げられる。このうち、コルチゾール、アドレナリン、クロモグラニンＡは、蓄積量の増加と慢性ストレスの増加とが関連付けられる。一方、ＤＨＥＡ、ＤＨＥＡ−Ｓは、蓄積量の増加と慢性ストレスの減少とが関連付けられる。
【００２２】
以上に例示した他にも、種々の生理活性物質の蓄積量と、対応する生命活動および生理機能との関係は、医学・生理学分野における技術常識を用いて解釈することができる。
【００２３】
なお、毛髪中にはステロイド骨格を有する物質が蓄積されやすいことが知られている。このため、毛髪におけるステロイド骨格を有する物質の蓄積量を測定することは、本開示の方法の好ましい態様の一つである。ステロイド骨格を有する物質の例としては、コルチゾール、ＤＨＥＡ、ＤＨＥＡ−Ｓ、テストステロンなどが挙げられる。
【００２４】
本明細書において、「毛髪処理」とは、前記「毛髪の分析」を行うための前処理を意図する。具体的に、前記毛髪処理は、毛髪を採取した後の工程を少なくとも含むことを意図する。
【００２５】
本明細書中における「抗体」には、免疫グロブリンが含まれる。すなわち、ＩｇＡ、ＩｇＤ、ＩｇＥ、ＩｇＧ、ＩｇＭ、および、これらのＦａｂフラグメント、Ｆ（ａｂ’）２フラグメント、Ｆｃフラグメントなどが含まれる。より具体的には、全てのクラスのポリクローナル抗体、モノクローナル抗体、単鎖抗体、抗イディオタイプ抗体、ヒト化抗体、遺伝子組換えによるヒト型化抗体などが挙げられるが、これらに限定されるものではない。また、本明細書中における「抗体」には、特定の生理活性物質を特異的に認識する限り、抗体断片および抗体修飾物も含まれる。抗体断片の例としては、Ｆａｂフラグメント、Ｆ（ａｂ’）２フラグメントを挙げることができる。
【００２６】
次に、毛髪処理具１Ａによる毛髪処理について、図３〜図６を参照しながら説明する。
【００２７】
まず、被検体から毛髪Ｈを採取する（以降、採取工程と称する）。毛髪を採取するために用いる道具としては、特に限定されず、公知の道具（ハサミ、髭剃りなど）が用いられうる。
【００２８】
採取工程で被検体から採取される毛髪Ｈの数は、１本以上であれば特に限定されない。より正確な生理活性物質の蓄積量を測定するという観点からは、複数本の毛髪を採取することが好ましい。このときに採取する毛髪の本数は、統計的解釈が可能な本数であれば特に限定されない。
【００２９】
皮膚や血液などの混入を防ぐ観点から、毛髪の採取に際しては、毛根を含まない部位を採取することが好ましい。一方、時間経過による生理活性物質の蓄積量の変化の影響を小さくするためには、毛髪の根元に近い部位における前記生理活性物質の蓄積量を測定することが好ましく、したがって毛髪の根元に近い部位を採取することが好ましい。以上より、毛髪の採取に際しては、毛髪を根元の近くから採取することが好ましい。採取された毛髪Ｈは、適宜洗浄などの工程を経た後、後述する配置工程に供される。
【００３０】
次に、採取工程において採取された毛髪Ｈを、筐体２の上面２ａに配置する（以降、配置工程と称する）。配置工程における毛髪Ｈの配置例を、図３の（ａ）および（ｂ）に示す。図３の（ａ）は、配置工程における毛髪処理具１Ａの上面図であり、（ｂ）は、（ａ）に示すＢ−Ｂ線矢視断面図である。図３の（ａ）および（ｂ）に示すように、配置工程では、後の切断工程において同一の長さで毛髪Ｈを切断するという観点から、各流路１０が並んでいる方向（すなわち、Ｘ軸方向）に対して略平行となるように毛髪Ｈを配置することが好ましい。配置工程において配置される毛髪Ｈの数は、後述する第１反応液５の注入量等の条件に応じて、適宜選択される。
【００３１】
次に、配置工程において配置した毛髪Ｈを所定の長さに切断する（以降、切断工程と称する）。図４は、切断工程における毛髪処理具１Ａの断面図である。図４に示すように、毛髪Ｈは、切断具４を隔壁１２の上面１２ａ（被押圧面）に対して押圧することにより所定の長さに切り分けられる。切断された毛髪Ｈは、重力により鉛直下方向に移動し、流路１０の第１領域１０Ａ内に保持される。切断工程において用いられる切断具４の種類は特に限定されないが、複数の刃が一定の間隔で配置されているものを用いることが好ましい。このような複数の刃を有する切断具４を用いることにより、所定の長さに切断された複数の毛髪Ｈを一度に取得することができる。
【００３２】
ここで、毛髪Ｈは、生理活性物質の蓄積量を測定する直前に被検体から採取されたものであってもよいし、数日前に被検体から採取されたものであってもよい。しかし、毛髪に含まれる生理活性物質のうち、その存在量が毛髪採取からの時間経過により変化しやすいものに関しては、生理活性物質を正確に測定するという観点から、測定の直前に被検体から採取した毛髪Ｈを用いることが好ましい。
【００３３】
次に、図５の（ａ）に示すように、毛髪Ｈが保持された第１領域１０Ａに第１反応液５を注液する（以降、反応液注液工程と称する）。なお、図５の（ａ）は、反応液注液工程における毛髪処理具１Ａの断面図である。
【００３４】
反応液注液工程で用いられる第１反応液５は、毛髪Ｈから所望の生理活性物質を抽出するために必要な物質が成分（成分Ａ）として含まれる。該成分Ａは、目的とする生理活性物質に応じて適宜選択されるが、例えば、毛髪Ｈからコルチゾールを抽出する場合、第１反応液５には、メタノールなどが含まれる。
【００３５】
また、第１反応液５の成分として、成分Ａ以外にも、毛髪Ｈから所望の生理活性物質を抽出するために必要な物質以外の、その他の物質（成分Ｂ）を含んでいてもよい。成分Ｂの例としては、例えば、ＰＢＳ、ブロッキング剤（ＢＳＡ、ゼラチン、カゼイン、各種動物の血清やそれらの希釈液など）等が挙げられる。抗体・蛍光色素標識抗体及びの希釈液など第１反応液５に含まれる、成分Ａと成分Ｂとの組成は、適宜変更され得る。第１領域１０Ａへの第１反応液５の注液量は特に限定されず、第１領域１０Ａに保持されている毛髪Ｈの重量等に応じて適宜変更され得る。
【００３６】
反応液注液工程後、毛髪Ｈと第１反応液５とを反応させる（以降、第１反応工程と称する）。第１反応工程において、毛髪Ｈから、所望の生理活性物質が第１反応液５に抽出される。ここで、反応時間は、毛髪Ｈの重量および第１反応液５の成分に応じて適宜決定される。
【００３７】
上述のように、毛髪処理具１Ａは、遮蔽部２０を備えている。この構成により、第１反応液５と毛髪Ｈとを第１領域１０Ａ中に保持できる。そのため、毛髪Ｈと第１反応液５とを所望の時間反応させることができる。
【００３８】
次に、毛髪Ｈから抽出された生理活性物質を含む第１反応液５ａを流路１０の第２領域１０Ｂに注入する（以降、注入工程と称する）。図５の（ｂ）は、注入工程における毛髪処理具１Ａの断面図である。注入工程では、図５の（ｂ）に示すように、毛髪Ｈの分析者は、遮蔽部２０の端部２０ａを引っ張ることにより、遮蔽部２０を毛髪処理具１Ａから外部に向かって引き抜く。これにより、第１領域１０Ａ内に貯留されていた第１反応液５ａが、鉛直下方向へ移動し、第２領域１０Ｂに注入される。
【００３９】
次に、図６に示すように、注入工程により第２領域１０Ｂに注入された第１反応液５ａと、生理活性物質を特異的に認識するための抗体を含む第２反応液６とを混合し、生理活性物質と抗体とを反応させる（以降、第２反応工程と称する）。図６は、第２反応工程における毛髪処理具１Ａの断面図である。なお、第２反応液６は、図２の（ｂ）に示すように、予め流路１０の第２領域１０Ｂに格納されている。流路１０の内面において第２反応液６と接触する底部１０ｄ付近の側面１０ｅおよび底面１０ｆの表面は、抗体の結合に適したコーティングなどの処理がなされている。そのため、第２反応液６に含まれる上記抗体は、底部１０ｄ付近の側面１０ｅおよび底面１０ｆの表面に固定される。ただし、第１反応液５ａと第２反応液６との混合液を毛髪処理具１Ａの外部でＥＬＩＺＡ法にて分析してもよい。この場合には、底部１０ｄにマイクロチューブを接続することにより、上記混合液を外部に排出してもよい。
【００４０】
第２反応工程で用いられる第２反応液６は、所望の生理活性物質と結合する抗体を成分として含む。また、第２反応工程において用いられるＥＬＩＺＡ法としては特に限定されず、検出対象の生理活性物質に応じて適宜選択される。ＥＬＩＺＡ法として、例えば、サンドイッチ法または競合法などが用いられる。例えば、コルチゾールを検出対象とする場合は、競合法を用いればよい。
【００４１】
ＥＬＩＺＡ法において用いる抗体は、該抗体が認識する抗原（生理活性物質）に応じて、適宜決定すればよい。例えば、コルチゾールを抗原とする場合は、抗コルチゾール抗体を用いればよい。
【００４２】
これ以降の工程については、公知のＥＬＩＺＡ法のプロトコルに従うことができる。第１反応液５ａが第２領域１０Ｂに注入されることにより、第１反応液５ａに含まれている生理活性物質が、側面１０ｅおよび底面１０ｆの表面（反応部と称する）に固定されている抗体（一次抗体）と相互作用する。
【００４３】
所定の時間経過後、第２領域１０Ｂに洗浄液を注入して、反応部を洗浄する。洗浄後、
一次抗体と相互作用した生理活性物質を認識する二次抗体を注入する。当該二次抗体は、酵素（例えば、ＨＲＰ（Horse Radish Peroxidase））によって標識されている。
【００４４】
その後、再度洗浄液を第２領域１０Ｂに注入して反応部を洗浄し、基質(例えば、ＴＭＢ（3,3′,5,5′-tetramethylbenzidine）)を第２領域１０Ｂに注入する。この処理により、二次抗体の酵素と基質とが反応し、酵素反応生成物が生成される。
【００４５】
酵素反応後、反応停止液(例えば、硫酸や有機酸（強酸）)を注入した後、反応液中の酵素反応生成物に由来する吸光度を計測する。その一方で、既知の生理活性物質の濃度と、当該既知の濃度の生理活性物質に対して上記抗原抗体反応を行うことで生じる酵素反応生成物の吸光度との関係を示す検量線を作成する。この検量線を用いて、目的の生理活性物質の濃度を算出する。
【００４６】
以上のように、毛髪処理具１Ａは、上下方向に伸びる複数の流路１０と、流路１０を第１領域１０Ａと第２領域１０Ｂとに分ける遮蔽部２０を備えている。また、第１領域１０Ａには、切断された毛髪Ｈを第１領域に入れ、かつ、第１反応液５を注入するための開口部１０ｃが形成されている。さらに、遮蔽部２０は、流路１０から取り外し可能となっている。
【００４７】
上記の構成によれば、第１領域１０Ａにおいて、第１領域１０Ａに入れた毛髪Ｈから所望の生理活性物質を第１反応液５に抽出させることができる。さらに、遮蔽部２０を流路１０から取り外すことによって、毛髪Ｈから抽出された生理活性物質を含む第１反応液５ａを流路１０の第２領域１０Ｂに注入することができる。これにより、第２領域１０Ｂにおいて、第１反応液５ａと第２反応液６とを混合し、生理活性物質と抗体とを反応させた抽出液を取得することができる。すなわち、毛髪処理具１Ａでは、（１）流路１０（より詳細には、第１領域１０Ａ）に毛髪を入れる動作、および、（２）遮蔽部２０を流路１０から取り外すという動作の２つの簡便な動作を行うだけで、所定の長さに札段された毛髪Ｈから抽出された生理活性物質と抗体を反応させた抽出液を取得することができる。すなわち、毛髪処理具１Ａは、生体の毛髪の分析をするための毛髪処理を簡易に行うことができる。
【００４８】
また、毛髪処理具１Ａでは、流路１０が隔壁１２によって隔てられている。そして、切断具４を隔壁１２の上面１２ａに対して押し当てるにより、筐体２の上面２ａに配置された毛髪Ｈを切断し、切断した毛髪Ｈを第１領域１０Ａに保持させることができる。
【００４９】
さらに、毛髪処理具１Ａでは、流路１０が所定の間隔を隔てて配置されている。これにより、毛髪Ｈの毛根から毛先まで順に、毛髪Ｈから抽出された生理活性物質と抗体とを反応させた抽出液を取得することができる。これにより、各抽出液のラベリングや管理が簡略化できる。
【００５０】
また、毛髪処理具１Ａでは、各流路１０の左右方向の幅が同一の長さになっている。これにより、毛髪Ｈの重さを秤量しなくても、毛根から毛先にかけて生理活性物質の蓄積量の変化を把握しやすくなっている。
【００５１】
〔変形例１〕
毛髪処理具１Ａの変形例について、図７を参照しながら説明する。図７は、実施形態１の変形例としての毛髪処理具１Ａの構成を示す斜視図である。
【００５２】
実施形態１における毛髪処理具１Ａでは、図１に示すように、遮蔽部２０の端部２０ａが、流路１０が並んでいる方向側（すなわち、左右方向）の側面２ｂ上に突出している構成であった。この場合、遮蔽部２０を図５の（ｂ）に示す矢印方向へ取り出す時に、遮蔽部２０の表面のうち一方の第１領域１０Ａ側の表面に付着した第１反応液５ａが、他方の第１領域１０Ａに侵入する。そのため、一方の第１領域１０Ａに含まれる第１反応液５ａと、他方の第１領域１０Ａに含まれる第１反応液５ａとが混合する場合がある。
【００５３】
これに対して、本変形例における毛髪処理具１Ａでは、図７に示すように、端部２０ａが、前後方向側の側面２ｃ上に、端部２０ａが突出するような遮蔽部２０が用いられている。上記構成によれば、図７の、前方向に向かって遮蔽部２０を取り出すことができる。それゆえ、各第１領域１０Ａ中に含まれる第１反応液５ａが互いに混合することなく、遮蔽部２０を毛髪処理具１Ａから取り出すことができる。
【００５４】
〔変形例２〕
毛髪処理具１Ａのさらなる変形例としての毛髪処理具１Ｂについて、図８を参照しながら説明する。図８の（ａ）は、毛髪処理具１Ｂの上面図であり、（ｂ）は、（ａ）に示すＢ−Ｂ線矢視断面図であり、（ｃ）は、（ｂ）における点線部分を拡大した図である。図８の（ａ）および（ｂ）に示すように、毛髪処理具１Ｂの隔壁１２の上面１２ａには、溝７が複数形成されていてもよい。上記構成によれば、複数本の毛髪Ｈを１つの溝７に簡易に載置することができ、また、毛髪Ｈを整列させやすくなる。
【００５５】
複数の毛髪サンプルを効率的に処理できるという観点から、溝７の間隔と溝７の幅との和（図８の（ｃ）に示す間隔ｄと幅ｗとの和）は、１５０μｍ〜８３０μｍであることが好ましい。ただし、溝７の間隔と溝７の幅との和は、上述の範囲に限定されるものではない。
【００５６】
また、溝７の幅（図８の（ｃ）に示す幅ｗ）は、１本の毛髪が溝７に嵌り易くなるという観点から、８０μｍ〜１５０μｍであることが好ましい。さらに、溝７の深さ（図８の（ｃ）に示す深さＤ）は、５０μｍ〜２００μｍであることが好ましく、１００μｍ〜１５０μｍであることがさらに好ましい。その理由は、１本の毛髪の断面における全体の面積のうち半分以上の面積から全面積が溝７に嵌る状態が好ましいためである。
【００５７】
〔変形例３〕
毛髪処理具１Ａのさらなる変形例としての毛髪処理具１Ｃについて、図９を参照しながら説明する。図９の（ａ）および（ｂ）は、毛髪処理具１Ｃの上面図であり、図９の（ｃ）は、図９の（ａ）に示す点線部分を拡大した図である。
【００５８】
毛髪処理具１Ｃは、実施形態１における流路１０に代えて、流路１０ａを備えている。流路１０ａは、図９に示すように、隔壁１２によって、上下方向に垂直な断面の形状が略六角形状となるように形成されており、各流路１０ａによってハニカム構造を形成するように各流路１０ａが配列されている。
【００５９】
毛髪処理具１Ｃを用いた毛髪処理では、図９に示すように、毛髪処理具１Ｃを上から見たときに、流路１０ａのいずれかの辺と毛髪Ｈとが略垂直となるように、毛髪Ｈを毛髪処理具１Ｃに配置する。
【００６０】
上記の構成によれば、図９の（ｃ）に示すように、互いに隣接する毛髪Ｈを切断したときに、毛髪Ｈの伸長期間の一部の期間は重複しているが、毛髪Ｈの伸長期間の一部の期間は異なっている毛髪Ｈ（例えば、図９に示す部分Ｌ１および部分Ｌ２）を採取することができる。これにより、毛髪Ｈにおける生理活性物質の毛根側から毛先側までに亘っての蓄積量の変化をより詳細に測定することができる。
【００６１】
〔実施形態２〕
本開示の他の実施形態について、以下に説明する。なお、説明の便宜上、上記実施形態にて説明した部材と同じ機能を有する部材については、同じ符号を付記し、その説明を繰り返さない。
【００６２】
図１０の（ａ）は、本実施形態の毛髪処理具１Ｄにおける反応液注液工程を示す断面図であり、（ｂ）は、毛髪処理具１Ｄにおける濾過工程を示す断面図である。
【００６３】
本実施形態における毛髪処理具１Ｄは、図１０（ａ）および（ｂ）に示すように、実施形態１における遮蔽部２０に代えて遮蔽部３０を備えている。
【００６４】
遮蔽部３０は、多孔質材料からなっており、液体を濾過できるようになっている。換言すれば、遮蔽部３０は、流路１０の第１領域１０Ａから第２領域１０Ｂへの液体の移動速度を低下させる。遮蔽部３０は、第１反応工程において毛髪Ｈと第１反応液５と十分反応させるために、第１領域１０Ａへの第１反応液５の注液後、第１反応液５がただちに濾過されないように構成されている。
【００６５】
次に、本実施形態における毛髪処理具１Ｄの使用方法について、以下に説明する。毛髪処理具１Ｄの使用方法は、実施形態１の毛髪処理具１Ａの使用方法における注入工程に代えて濾過工程を行う。それ以外の工程については、実施形態１にて説明した工程と同様であるため、説明を省略する。
【００６６】
毛髪処理具１Ｄを用いた測定では、図１０の（ａ）に示すように、反応液注液工程において第１反応液５が第１領域１０Ａに注液される。これにより、第１反応液５と毛髪Ｈとが反応し、第１反応液５に生理活性物質が抽出された第１反応液５ａが得られる。
【００６７】
次に、図１０の（ｂ）に示すように、遮蔽部３０によって第１反応液５ａが濾過され（濾過工程）、濾過された第１反応液５ａが第２領域１０Ｂに注入される。
【００６８】
以上のように、本実施形態における毛髪処理具１Ｄでは、流路１０の第１領域１０Ａから第２領域１０Ｂへの液体の移動速度を低下させる遮蔽部３０を備えている。これにより、毛髪処理具１Ａでは、流路１０（より詳細には、第１領域１０Ａ）に毛髪を入れる動作を行うだけで、所定の長さに札段された毛髪Ｈから抽出された生理活性物質と抗体を反応させた抽出液を取得することができる。すなわち、毛髪処理具１Ｄは、生体の毛髪の分析をするための毛髪処理を簡易に行うことができる。
【００６９】
〔実施形態３〕
本開示の他の実施形態について、以下に説明する。なお、説明の便宜上、上記実施形態にて説明した部材と同じ機能を有する部材については、同じ符号を付記し、その説明を繰り返さない。
【００７０】
図１１の（ａ）は、本実施形態における毛髪処理具１Ｅの斜視図であり、（ｂ）は、毛髪処理具１Ｅの断面図である。
【００７１】
毛髪処理具１Ｅは、図１１の（ａ）および（ｂ）に示す通り、複数の流路１０の開口部１０ｃを覆う蓋部８が設けられていてもよい。上記構成によれば、各反応液を流路１０へ注液後、蓋部８を閉じることにより、流路１０から各反応液が外部へ漏れることなく、毛髪処理具１Ｅを振動させることができる。これにより、第１反応工程および第２反応工程において、反応を促進させることができる。
【００７２】
また、蓋部８を毛髪処理具１Ｅへ取り付ける方法としては特に限定されず、例えば、図１１の（ａ）および（ｂ）に示すように、蝶番などの、蓋部８と毛髪処理具１Ｅと連結する連結部材９が用いられてもよい。
【００７３】
図１２の（ａ）および（ｂ）は、毛髪処理具１Ｅの変形例を示す断面図である。本実施形態における毛髪処理具１Ｅは、図１２の（ａ）および（ｂ）に示すように、第１領域１０Ａ内に、毛髪Ｈを十分に粉砕するための粉砕部材１１が設けられていてもよい。上記構成によれば、粉砕部材１１が毛髪Ｈと接触した状態で、毛髪処理具１Ｅに対して超音波または振動を加えることにより、毛髪Ｈをより効率よく粉砕することができる。
【００７４】
粉砕部材１１の材料は、毛髪Ｈを粉砕可能な物質であり、かつ第１反応液５に対して耐腐食性を有している物質であれば特に限定されず、例えば、ガラス、ジルコニアビーズなどが上げられる。粉砕部材１１の大きさは、第１領域Ａ内中に複数の粉砕部材１１が収まる大きさであれば特に限定されない。例えば、粉砕部材１１としてビーズを用いる場合、ビーズの直径は０．０５ｍｍ以上５．０ｍｍ以下であることが好ましい。
【００７５】
第１領域１０Ａ内における、粉砕部材１１の配置は特に限定されない。配置の態様として、例えば、図１２の（ａ）のように、第１領域Ａ内に複数の粉砕部材１１が格納されていてもよい。または、図１２の（ｂ）に示すように、蓋部８の、流路１０の開口部１０ｃと対向する側の、対向面８ａ上へ粉砕部材１１が固定されていてもよい。また、第１領域Ａ内に配置する粉砕部材１１の数は、毛髪Ｈの本数および蓋部８上への粉砕部材１１の配置態様に応じて適宜選択される。例えば、図１２の（ｂ）に示すように、対向面８ａ上に粉砕部材１１が固定されている場合、毛髪Ｈが粉砕される効率が上がる。
【００７６】
粉砕部材１１を第１領域１０Ａ内に入れる個数としては特に限定されないが、毛髪Ｈを効率よく粉砕させるという観点から、流路１０中に、複数の粉砕部材１１を収めることがより好ましい。ここで、図１２の（ｂ）に示すように、粉砕部材１１が対向面８ａ上に固定されている場合、粉砕部材１１は、対向面８ａ上に、流路１０上の断面積の約半分から約８５％まで埋めることが好ましい。この場合、毛髪Ｈと粉砕部材１１との接触面積が多くなり、それ故に毛髪Ｈの粉砕の効率が上がる。
【００７７】
また、第１領域１０Ａの深さ２Ｄは、粉砕部材１１の種類と、粉砕部材１１の配置態様に応じて適宜変更される。例えば、粉砕部材１１としてビーズを用いて、かつ、粉砕部材１１の配置態様が図１２の（ｂ）である場合は、粉砕部材１１の直径をＤ、対向面８ａ上に埋まっている割合をｂとした場合、Ｄ×（１−ｂ）＋５０μｍ〜Ｄ×（１−ｂ）＋２００μｍの範囲であることが好ましい。
【００７８】
〔実施形態４〕
上述した各毛髪処理具の使用方法として、反応液注液工程の前に、毛髪Ｈの重量を、近似計測法により計測する計測工程が含まれていてもよい。毛髪重量の近似計測法を用いることで、毛髪Ｈの重さを計測しなくとも、毛根から毛先にかけて、毛髪単位重量当たりの生理活性物質量の変化を、経時的に把握することができる。つまり、毛髪Ｈの重さの測定を省略して、毛髪単位重量当たりの生理活性物質量を算出できるという観点から、前処理を簡易化できる。
【００７９】
以下に、本実施形態に係る毛髪処理具における近似計測法について、２通りの例を挙げて説明する。
【００８０】
〈計測例１〉
図１３の（ａ）は、本実施形態の一態様の毛髪処理具１Ｆが備える第１光源４０、第２光源４１、第１受光素子４３および第２受光素子４２を示す図である。
【００８１】
毛髪処理具１Ｆは、第１光源４０、第２光源４１、第１受光素子４３および第２受光素子４２を備えている。
【００８２】
第１光源４０および第２光源４１は、光を照射する。第１光源４０および第２光源４１は、可視光（例えば、白色光、単色光）、紫外光、または赤外光を平行光として照射する。第１光源４０および第２光源４１は、例えば、ランプ、ＬＥＤ（Light Emitting diode）、またはレーザであってよい。
【００８３】
第１受光素子４３および第２受光素子４２は、第１光源４０および第２光源４１から照射された光を受光する。第１受光素子４３および第２受光素子４２として、例えば、ＣＣＤ（Charge Coupled Device）、ＣＭＯＳ（Complementary Metal-Oxide Semiconductor）などのイメージセンサ、光電子増倍管等を用いることができる。
【００８４】
次に、毛髪処理具１Ｆを用いた毛髪Ｈの重量の計測法の例を説明する。まず、第１光源４０と第１受光素子４３により、毛髪が平面上に、１層で整列されているかどうかを確認する。確認後、毛髪Ｈの平均の直径を算出する。具体的に、第１光源４０と第１受光素子４３を用いて、毛髪同士の重なりが最も多い個所を探る。該箇所が検出された後、毛髪で構成される１層が、光路を横断することにより形成される受光パターンを測定する。測定した平均直径を、Ｄａとし、受光量変化をΔＰとする。
【００８５】
その後、第２光源４１および第２受光素子４２により、受光画像から、配置された毛髪のおおよその本数を計測する。例えば、区画長Ｌ（ｃｍ）に含まれる毛髪の体積は、Ｖ＝ｎ＊Ｌ＊π＊（Ｄａ／２）２ｃｍ３（なお、ｎは毛髪の本数を示す。）の式を用いて算出される。ここで、公知である毛髪の密度は、ρ＝１．３ｇ／ｃｍ３であることから、１ｃｍに含まれる毛髪の重量は、Ｖ＊ρの式により算出される。該式において求められた毛髪の重量の値と、上述の検出工程において求められた生理活性物質の濃度の値とを用いて、毛髪単位当たりの生理活性物質量を算出して、毛根側から毛先側までに亘っての生理活性物質量の変化を確認し、上記毛髪を採取された被験体の生命活動および生理機能を判断できる。
【００８６】
〈計測例２〉
図１３の（ｂ）は、毛髪処理具１Ｆの変形例としての毛髪処理具１Ｇが備える第１光源４０、第２光源４１、第１受光素子４３および第２受光素子４２を示す概略図である。
【００８７】
毛髪処理具１Ｇは、第１光源４０および第１受光素子４３を備えている。
【００８８】
毛髪処理具１Ｇを用いた毛髪Ｈの重量の計測では、第１光源４０および第１受光素子４３のみを用いて、１本ずつ整列された毛髪Ｈについて、受光量減少量ΔＰ２を測定する。測定の手順について、以下に説明する。
【００８９】
まず、あらかじめ、被験者から１本の毛髪Ｈを採取して、適宜設置した試験用のレーンに配置し、１本あたりの受光量減少量（ΔＰ１）を測定しておく。また、毛髪の直径Ｄを計測しておく。なお、本数は、ｎ＝ΔＰ２／ΔＰ１の式により算出する。
【００９０】
本数ｎを算出した後、計測例１に記載の毛髪の密度ρと、計測例１に記載の、１ｃｍに含まれる毛髪の体積Ｖから、１ｃｍあたりの毛髪の重量を算出できる。
【００９１】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００９２】
１Ａ〜１Ｇ  毛髪処理具
１０、１０ａ  流路
１０Ａ  第１領域
１０Ｂ  第２領域
１０ｃ  開口部
１１  粉砕部材
１２  隔壁
１２ａ  上面（被押圧面）
２０、３０  遮蔽部
【図１】
2019219328.tif 000003
【図２】
2019219328.tif 000004
【図３】
2019219328.tif 000005
【図４】
2019219328.tif 000006
【図５】
2019219328.tif 000007
【図６】
2019219328.tif 000008
【図７】
2019219328.tif 000009
【図８】
2019219328.tif 000010
【図９】
2019219328.tif 000011
【図１０】
2019219328.tif 000012
【図１１】
2019219328.tif 000013
【図１２】
2019219328.tif 000014
【図１３】
2019219328.tif 000015